(57)【要約】      （修正有）【課題】内部の収納物を容易に確認できて、かつ便利性が向上する物入れを提供する。【解決手段】箱体２０と透明窓３０とを含み、箱体は底壁と、該底壁の周縁に連接する側壁を設けることにより、前記底壁と前記側壁との間に物品収納の収納空間を形成する。箱体の側壁は、そのうち一つの側板に握持部２６と収納空間４０と、外部と連絡する開口部２７とを設け、前記開口部上端の高さは少なくとも前記握持部外側の高さに等しく、開口部の底縁は、底壁の上端面の付近場所に設け、透明窓は取り外し自在にて箱体の側壁に設けて開口部と互いに対応する。【選択図】図１
0003157423.tif 000002
【実用新案登録請求の範囲】
【請求項１】
物入れであって、
箱体と透明窓とを具備し、
前記箱体は多辺形の底壁と前記底壁の周縁に連接する側壁を設け、前記底壁と前記側壁との間に上向きに開放する収納空間が形成され、前記側壁に前部側板を有し、前記前部側板の外周面の上端部は外側にのばして握持部が突設され、前記前部側板は前記収納空間と外部に連絡する開口部を設け、前記開口部の上端部の高さは少なくとも前記握持部の外部表面の高さに等しく、前記開口部の底縁は前記底壁の上端面に近づけ、
前記透明窓は箱体に取り外し自在であり、前記収納空間が備える前記前部側板の内周面に取り付けられ、前記開口部に対応することを特徴とする物入れ。
【請求項２】
前記箱体の前部側板の内周面にガイドレールを設け、前記透明窓を前記ガイドレールに嵌着することを特徴とする請求項１記載の物入れ。
【請求項３】
前記開口部の上端に少なくとも一つの固定凹み部を設け、前記透明窓の上端には少なくとも一つの固定突起部を設け、前記固定突起部を前記固定凹み部に嵌着することを特徴とする請求項２記載の物入れ。
【請求項４】
前記開口部の上端の高さは前記握持部の外側の高さより大きいことを特徴とする請求項１記載の物入れ。
【請求項５】
前記箱体の側壁はさらに左側板と右側板とを有し、前記左側板の上端と前記右側板の上端はそれぞれ外側にのばしてフランジを突設したことを特徴とする請求項１記載の物入れ。
【考案の詳細な説明】
【技術分野】
【０００１】
本考案は置物に係わり、特に内部の収納物を確認するための物入れに関するものである。
【背景技術】
【０００２】
よく見かける市販の物入れのほとんどは、ケースの外部に図案と文字を組み合わせて表示し、物入れの収容物の説明がなされている。しかしながら、このような表示方式は印刷図案または色の精度がよくないと、内容物の状況を確認することができない。
このため、消費者は商品を購入するときに物入れを商品棚から取り出して、内部の収納物を確認した後に購入決定が行われる。よって、従来の物入れは消費者にとって不便である。
【考案の概要】
【考案が解決しようとする課題】
【０００３】
さらに、従来の物入れの構造は消費者による引き出し確認が数回に行われた後、商品棚との摩擦によって、すり切れや変形することがしばしば発生する。
【課題を解決するための手段】
【０００４】
本考案の主な目的は消費者が内部の収納物を容易に確認できて、かつ便利性が向上する一種の物入れを提供することである。
【０００５】
本考案の次の目的は良好な強度を有する一種の物入れを提供することである。
【０００６】
前記の目的を達成するため、本考案に係る物入れは箱体と透明窓とを含む。前記箱体に、多辺形の底壁と前記底壁の周縁に連接する側壁を設けて、前記底壁と前記側壁との間に上向きの開放状の収納空間を形成する。そのうち、前記側壁に前部側板を設け、前記前部側板の外周面の先端は外側にのばした握持部を突設する。前記前部側板に前記収納空間と外部とを連絡する開口部を設け、前記開口部の先端の高さは、少なくとも前記握持部の外側の高さに等しい。前記開口部の底縁は前記底壁の上端面の付近場所に設ける。前記透明窓は取り外し自在にて前記収容空間に備える前記前部側板の内周面に設け、かつ前記開口部と互いに対応する。
【考案の効果】
【０００７】
本考案に係る物入れは透明窓によって、消費者は購入を選択できるため、あらかじめ物入れを開けることなく、収納空間に納められた物品を確認でき、使用の便利性の向上を確実に実現することができる。
本考案に係る実施例は構造体の強度を強化するために、箱体の側壁がさらに左側板と右側板とを具備し、前記左側板の上端部と前記右側板の上端部のそれぞれ外側にフランジが突設されている。
【図面の簡単な説明】
【０００８】
【図１】本考案の好適な一実施例に係る物入れの立面図である。
【図２】本考案の好適な一実施例に係る物入れの上面図である。
【図３】図１における破断線３−３に沿った断面図である。
【図４】図１における破断線４−４に沿った断面図である。
【図５】図４に類似し、箱体と透明窓が互いに分離した態様を示す物入れの断面図である。
【考案を実施するための形態】
【０００９】
以下に図面を参照しながら本考案の実施例について詳細に説明する。
【実施例】
【００１０】
図１に本考案の望ましい一実施例を説明する。この図において、物入れ１０は箱体２０と透明窓３０とを含む。
【００１１】
図２乃至図５を参照して説明する。
箱体２０には四辺形の底壁２２と、該底壁２２周縁に連接する側壁２４とを設け、底壁２２と側壁２４との間に、物品を収納するための上向きの開放状の収納空間４０を形成する。
側壁２４は前部側板２４２と、後部側板２４４、と左側板２４６と右側板２４８とを有する。
そのうち、使用者が握持するのに便利なように、前部側板２４２の外周面の上端は外側にのばして握持部２６を突設する。
前部側板２４２は収納空間４０と外部に連絡する開口部２７を設ける。
開口部２７の上端の高さは、少なくとも握持部２６の外側の高さに等しく、かつ握持部２６の外側より高く設けることが望ましい。
開口部２７の上端に２つの固定凹み部２７２を有し、開口部２７の底縁は、底壁２２の上端面の付近場所に設ける。
さらに、前部側板２４２の内周面にガイドレール２８を設ける。ガイドレール２８は、開口部２７の左右両側と底側に沿って延設する。
左側板２４６の上端と右側板２４８の上端はそれぞれ外側にのばしてフランジ２９を突設する。
【００１２】
図２、図４と図５を参照して説明する。
図示したように、透明窓３０は上から下へ箱体２０の前部側板２４２に備えるガイドレール２８に嵌装する。透明窓３０の上端にはそれぞれ前記固定凹み部２７２に嵌着される２つの固定突起部３２を設けることによって、透明窓３０を収容空間４０に備える前部側板２４２の内周面に固定する。これにより透明窓３０と開口部２７は互いに対応する。
【００１３】
前記した物入れ１０の構造のように、本考案に係る物入れ１０は大面積の開口部２７に、透明窓３０との組み合わせたことにより、消費者は収納空間４０に収納されている物品の様子を確認することができるので、物入れ１０を開ける必要がない。
消費者が購入を選定するときには、握持部２６より物入れ１０を引き出せば、必要な商品数を選定することができる。
【００１４】
本考案に係る物入れ１０はさらに加えて、フランジ２９の設計によって、箱体２０の左側板２４６と右側板２４８の構造体の強度が強化されているため、物入れ１０の出し入れ操作により箱体２０に対するすり減りを軽減できて、本考案の目的を確実に達成することができる。
【００１５】
以上の記載は本考案の実施例の説明を目的としたものであり、本考案の技術範囲になんらの制限を加わるものではない。その他の同等の効果による置き換え、または変更は本考案に含まれるものである。
【符号の説明】
【００１６】
１０・・・・・物入れ
２２・・・・・底壁
２４２・・・・前部側板
２４６・・・・左側板
２６・・・・・握持部
２７２・・・・固定凹み部
２９・・・・・フランジ
３２・・・・・固定突起部
２０・・・・・箱体
２４・・・・・側壁
２４４・・・・後部側板
２４８・・・・右側板
２７・・・・・開口部
２８・・・・・ガイドレール
３０・・・・・透明窓
４０・・・・・収納空間
【図１】
0003157423.tif 000003
【図２】
0003157423.tif 000004
【図３】
0003157423.tif 000005
【図４】
0003157423.tif 000006
【図５】
0003157423.tif 000007